(57)【要約】【目的】携帯型情報機器を使用する操作者が画像データの確認のために所望の部位の画像データを表示させるための煩雑な操作とそれに費やす手間を省くことができる画像処理装置を提供すること。【構成】記憶装置内に格納された画像データを表示する表示装置と、前記画像データの場所を指示する指示手段と、前記指示手段を中心に範囲を示す範囲指定手段と、前記範囲指定手段により指定された範囲の画像データを拡大処理する画像処理手段を有する画像処理装置において、前記範囲指定手段により指定される範囲が可変する可変制御手段と、前記可変範囲を決定する決定手段とを備える。【選択図】      図３
2004236114.tif 000002
【特許請求の範囲】
【請求項１】
記憶装置内に格納された画像データを表示する表示装置と、前記画像データの場所を指示する指示手段と、前記指示手段を中心に範囲を示す範囲指定手段と、前記範囲指定手段により指定された範囲の画像データを拡大処理する画像処理手段を有する画像処理装置において、
前記範囲指定手段により指定される範囲が可変する可変制御手段と、前記可変範囲を決定する決定手段とを備えたことを特徴とする画像処理装置。
【請求項２】
前記可変制御手段は、画像データの解像度に対応して可変することを特徴とする請求項１記載の画像処理装置。
【請求項３】
前記可変制御手段は、前記決定手段により拡大処理後も連続的制御可能なことを特徴とする請求項１記載の画像処理装置。
【請求項４】
前記可変制御手段の指定する範囲を可変とする速度は設定可能な速度設定手段を備えたことを特徴とする請求項１記載の画像処理装置。
【請求項５】
前記可変制御手段は、前記画像データの表示範囲内を移動可能としたことを特徴とする請求項１記載の画像処理装置。
【発明の詳細な説明】
【０００１】
【発明の属する技術分野】
本発明は、記憶手段より読み出された画像情報を拡大、縮小する画像処理装置に関するものである。
【０００２】
【従来の技術】
近年、ＰＤＡ（Ｐｅｒｓｏｎａｌ  Ｄｉｇｉｔａｌ  Ａｓｓｉｓｔａｎｔ）に代表される携帯型情報機器において、撮影機能や撮影した画像を処理する機能又は画像を作成する機能を備えた携帯型情報機器が数多く提案されている。
【０００３】
これらの携帯型情報機器に表示する画像データは、本体内の記憶装置やメモリーカード等の外部記憶装置から必要に応じて読み出され表示装置上に出力される。
【０００４】
しかし、これらの機器の表示装置のサイズや規格は様々である。従って、他の装置等で作成された画像データを保存した内部、外部の記憶装置から本携帯型情報機器の表示装置に表示しようとした場合、表示装置のサイズ、規格の関係上画像データの解像度では表示装置内に収まらない場合があり、画像データを一旦縮小して表示装置に表示する方式を採用している。
【０００５】
そこで、操作者は画像データを読み出し確認する場合、画像データの全体情報を表示するため、縮小表示された画像データを表示させる。次に、読み出された画像データを更に詳細に確認する場合は、表示倍率を変更して再表示し、表示画面をスクロールさせ所望の画像データを表示させたり、拡大させたい画像範囲を所定の手段により予め指定し、範囲指定された部位のみを拡大処理を施して表示装置に出力し、これによって画像データの確認を行っている。
【０００６】
【発明が解決しようとする課題】
操作者が画像データを詳細に確認する場合、一旦縮小画像を読み出し表示させた後、上記の通り、拡大率の設定やカーソルキーによる画面移動或は拡大範囲を指定するために複数のキー操作を繰り返し行うことを強いられ、所望の画像データ部分を表示させるために多くの操作と時間を費やすことになる。
【０００７】
本発明は上記問題に鑑みてなされたもので、その目的とする処は、携帯型情報機器を使用する操作者が画像データの確認のために所望の部位の画像データを表示させるための煩雑な操作とそれに費やす手間を省くことができる画像処理装置を提供することにある。
【０００８】
【課題を解決するための手段】
上記目的を達成するため、本発明は、記憶装置内に格納された画像データを表示する表示装置と、前記画像データの場所を指示する指示手段と、前記指示手段を中心に範囲を示す範囲指定手段と、前記範囲指定手段により指定された範囲の画像データを拡大処理する画像処理手段を有する画像処理装置において、前記範囲指定手段により指定される範囲が可変する可変制御手段と、前記可変範囲を決定する決定手段とを備えたことを特徴とする。
【０００９】
【発明の実施の形態】
以下に本発明の実施の形態を添付図面を用いて説明する。
【００１０】
図３は本発明の実施の形態における携帯型情報機器のハードウエア構成図である。
【００１１】
図３において、装置全体を制御する中央演算処理装置としてのＣＰＵ３１、ＣＰＵ３１が実行するプログラムコードを格納する記憶手段としての制御プログラム用ＲＯＭ（Ｒｅａｄ  Ｏｎｌｙ  Ｍｅｍｏｒｙ）３２、画像データ等を機器内部に格納するためのデータ格納用ＲＯＭ３３、又、メモリーカードのように機器本体に対し着脱可能なデータ格納用外部ＲＯＭ３４、制御プログラム用ＲＯＭ３２によりＣＰＵ３１で実行される各種処理用のためのワークエリアや、データ格納用ＲＯＭ３３に格納された画像データを展開、加工処理するためのエリアとしてのＲＡＭ（Ｒａｎｄｏｍ  Ａｃｃｅｓｓ  Ｍｅｍｏｒｙ）３５、前記ＲＡＭ３５内で処理された画像データ等の表示処理を行う表示制御部３７及び表示出力する表示器３８、各種処理を操作者が指示する入力手段としてのキーボード３６を備える。
【００１２】
ＣＰＵ３１は、ＲＯＭ３２に格納されているプログラムを読み込んで実行する機能の他に、データ用ＲＯＭ３３，３４に保存されている画像データを読み込んでＲＡＡＭ３５内でデータ処理を施し、表示制御部３７を介して表示器３８に表示処理をキーボード３６の指示に基づき実行している。
【００１３】
図２は従来における表示器３８上で実際の画像データの一部を拡大表示させる状態を示す一例を示すものである。
【００１４】
図２（ａ）において画像データの全イメージを表示器の表示サイズに合わせ縮小表示を行い、キーの操作により拡大表示させたい範囲の一角２１を指定する。次に、図２（ｂ）に示すように拡大表示範囲の対角に位置する一角２２を指定し、これで良ければ確定指示をすることにより図２（ｃ）のように、拡大範囲が範囲枠２３により指定される。この範囲で良ければ更に確定指示を実行することにより図２（ｄ）に示すように画像データの範囲枠２３が表示器の表示サイズに合わせ拡大表示される。
【００１５】
上記従来例によれば、所望の部位の拡大画像データを得るために煩雑な操作を要してそれに費やす時間が必要となり不便であった。
【００１６】
＜実施の形態１＞
図１は本発明の実施の形態１の画像データの拡大処理の表示器における状態を示したものである。又、図４は本実施の形態におけるＣＰＵ３１の動作フローチャートである。
【００１７】
図１（ａ）において、読み出した画像データの中で拡大したい部位の中心付近１１を指定し、確定指示すると図１（ｂ）に示すように中心部位１１を中心として所定の拡大範囲の上限／下限を示す拡大可能枠１２ｂ，１２ａが矢印１２ｃに示すように枠自体が拡大、縮小動作を繰り返し表示を行う。
【００１８】
次に、操作者は、希望の拡大可能枠の大きさになったとき、確定指示を行うことにより、図１（ｃ）に示す通り、拡大枠１３が固定表示されると共に、図１（ｄ）のように操作者が希望した拡大画像データが表示器に全面表示される。
【００１９】
上述の表示画面の動作を図４の動作フローチャートにより説明する。
【００２０】
図４において図１（ａ）の所望の画像データが表示器上に表示出力Ｓ１０１された後、ステップＳ１０２において拡大処理を実行する状態に移行させステップＳ１０３にて拡大中心部を移動させるカーソルキーの操作を待つ。Ｓ１０３にて所望の拡大領域の中心部分にカーソルを移動させた後、確定指示を行う決定キーが押圧Ｓ１０４されるとステップＳ１０５において拡大枠の上限・下限の範囲で枠が拡大縮小表示を繰り返す（図１（ｂ））。
【００２１】
そして、希望の拡大枠に変化したところで決定キーが押圧Ｓ１０６されると、ステップＳ１０７において希望の拡大枠の範囲で画像データが拡大表示され一連の処理が終了する。
【００２２】
上記拡大枠の伸縮する速度は、別途操作者により設定可能なようにしても良い。
【００２３】
以上のように、本実施の形態によれば、操作者にとって少ないキー操作において所望の画像データの拡大表示を実現することが可能になる。
【００２４】
＜実施の形態２＞
次に、本発明の実施の形態２を図５及び図６に基づいて説明する。
【００２５】
図５は表示器の状態を示す図、図６は図５におけるＣＰＵの動作フローを示す図である。
【００２６】
図５において（ａ）〜（ｃ）は前記実施の形態１と同様である。図５（ｄ）において指定枠範囲が拡大表示された後においても、更なる拡大処理が実行可能なよう拡大枠が拡大・縮小表示を繰り返しながら表示される。
【００２７】
更なる拡大を希望する場合は、所定の拡大枠の範囲になった時点で確定指示を行うことにより、図５（ｅ）に示す通り、更なる拡大画像データが表示器に表示出力される。
【００２８】
図６において、ステップＳ１０１〜ステップＳ１０７は、前記実施の形態１と同様の処理のため、詳細な説明は省略する。
【００２９】
ステップＳ１０７において、１回目の拡大処理が行われた後にステップＳ１０８にて決定キーの操作の有無を確認する。決定キーが押圧されると、これ以上の拡大処理はないということでＳ１０７の指定サイズの画像拡大表示が継続される。
【００３０】
決定キーが押圧されないと、ステップＳ１０９に移行し、拡大上限、下限枠が拡大・縮小繰り返し表示状態となり、ステップＳ１１０の拡大枠範囲指定指示をする決定キーの押圧待機状態となる。
【００３１】
ステップＳ１１０で決定キーが押圧されると、指定枠範囲において画像データが更なる拡大処理を施され表示器上に出力表示される。
【００３２】
又、カーソル移動中は拡大枠の伸縮動作を中止することにより視認性を高めるように設定しても良い。
【００３３】
本動作を更に繰り返すことにより拡大処理を継続的に行うことができることは言うまでもない。
【００３４】
＜実施の形態３＞
次に、図７の表示器の状態図に基づいて本発明の実施の形態３について説明する。
【００３５】
図７において、本実施の形態では、図１（ｂ）における拡大上限、下限枠の拡大・縮小表示が実行された後において、カーソルキー等の移動指示手段により拡大枠が画像データ内を移動可能にすることにより、実際の拡大枠を目視しながら拡大部位の特定が可能となり、更に利便性の高い操作環境を提供可能となる。
【００３６】
＜実施の形態４＞
前記実施の形態においては、拡大指定範囲の上限を予め設定しておくことにしているが、上限に関しては、画像データの実解像度から最大の拡大範囲をその都度算出し表示枠を決定するようにしても良い。
【００３７】
【発明の効果】
以上の説明で明らかなように、本発明によれば、携帯型情報機器の使用者が画像データの全画像を表示器の表示サイズに合わせ縮小表示した後に、所望の範囲を拡大表示させる操作を行う場合、少ないキー操作で実現可能となり、煩雑さや操作に費やす手間を省くことが可能となる。
【図面の簡単な説明】
【図１】本発明の実施の形態１における表示器の状態を示す図である。
【図２】従来における表示器の状態を示す図である。
【図３】本発明の実施の形態における装置のハードウエア構成図である。
【図４】表示画面の動作フローチャートである。
【図５】本発明の実施の形態２における表示器の状態を示す図である。
【図６】図５における実施の形態による装置の動作フローチャートである。
【図７】本発明の実施の形態３における表示器の状態を示す図である。
【符号の説明】
３１    ＣＰＵ
３２    制御プログラム用ＲＯＭ
３３    データ格納用ＲＯＭ
３４    データ格納用外部ＲＯＭ
３５    ＲＡＭ
３６    キーボード
３７    表示制御部
３８    表示器
【図１】
2004236114.tif 000003
【図２】
2004236114.tif 000004
【図３】
2004236114.tif 000005
【図４】
2004236114.tif 000006
【図５】
2004236114.tif 000007
【図６】
2004236114.tif 000008
【図７】
2004236114.tif 000009